(57)【要約】【課題】パッティング後のボールの転がり距離を推定可能なゴルフパターを提供する。【解決手段】ゴルフパター１の本体１０に、表示手段５と、表示手段に電気的に接続される制御手段６とを設け、制御手段は、感知部６１と算出部６２とを有し、感知部は、パッティングする前の素振り動作において、まずボールの開始位置を検出し、算出部には、当該開始位置を記録し、算出部には、ヘッドの質量と、ボールの質量と、ボールの弾性率とを含む固有データを内蔵しており、素振り動作の際、感知部は、ヘッドの開始位置を通過したときのヘッドスピードを検出し、算出部には、ヘッドスピードを記録し、算出部は、固有データ及びヘッドスピードに基づいてボールの転がり距離を算出し、表示手段に、転がり距離を表示させ、当該転がり距離とカップまでの距離との差を判断してパッティングを加減よく調整するようにする。【選択図】図４
2009125523.tif 000002
【特許請求の範囲】
【請求項１】
本体の長手方向の一端にヘッドが一体に取り付けられ、プレーヤーがグリーンにボールをパッティングしてカップに入れるためのゴルフパターにおいて、
前記本体に、表示手段と、前記表示手段に電気的に接続される制御手段とを設け、
前記制御手段は、感知部と算出部とを有し、
前記算出部には、前記ヘッドの質量と、前記ボールの質量と、前記ボールの弾性率とを含む固有データを内蔵しており、
前記感知部は、パッティングする前の素振り動作において、まず前記ボールの開始位置を検出し、また前記ヘッドの前記開始位置を通過したときのヘッドスピードを検出し、
前記算出部には、当該開始位置及び前記ヘッドスピードを記録し、
前記算出部は、前記固有データ及び前記ヘッドスピードに基づいて前記ボールの転がり距離を算出し、
前記表示手段に、転がり距離を表示させ、当該転がり距離と前記カップまでの距離との差を判断して前記パッティングを調整するようにする
ことを特徴とするゴルフパター。
【請求項２】
前記算出部にさらに、予めグリーン状態に対応付けられるグリーンスピードと該グリーンスピードに対応付けられた目盛りを示す対照表を内蔵し、
さらに、前記対照表に対応づけられるスイッチ手段を、前記制御手段に電気的に接続するように前記本体に取り付け、
前記パッティング時の前記グリーン状態に対応して前記スイッチ手段を切替え、前記算出部において、前記グリーン状態に対応付けられたグリーンスピードを考慮して前記ボールの転がり距離を算出することを特徴とする請求項１に記載のゴルフパター。
【請求項３】
前記感知部として、微小電気機械システム（ＭＥＭＳ）を用いることを特徴とする請求項２に記載のゴルフパター。
【請求項４】
前記感知部は、さらに前記ボールの開始位置における前記グリーンの傾斜角度を感知し、
前記算出部に、前記グリーンの傾斜角度を記録し、
前記算出部において、前記グリーンの傾斜角度を考慮して前記ボールの転がり距離を算出することを特徴とする請求項３に記載のゴルフパター。
【請求項５】
前記表示手段はさらに、前記グリーンスピードを調整可能な調整部を設け、
前記算出部において、前記調整部により調整したグリーンスピードに応じたグリーンスピードを算出して記録することを特徴とする請求項４に記載のゴルフパター。
【請求項６】
さらに、前記スイッチ手段に電気的に接続されるように給電手段を設けることを特徴とする請求項５に記載のゴルフパター。
【請求項７】
前記給電手段は、日光の放射エネルギーを電力に変換するソーラーセルプレートであり、日光が当たるように前記ヘッドに設けられることを特徴とする請求項６に記載のゴルフパター。
【請求項８】
前記表示手段は、前記プレーヤーが目視可能に前記ヘッドの上面に設けられ、
前記スイッチ手段は、前記本体の長手方向の他端に取り付けられ、前記給電手段からの電力を開閉制御する電源スイッチ及び前記グリーンスピードを設定する切替えスイッチを設けることを特徴とする請求項７に記載のゴルフパター。
【発明の詳細な説明】
【技術分野】
【０００１】
本発明は、ゴルフクラブに関し、特にグリーンでゴルフボールをカップインするためのゴルフパターに関する。
【背景技術】
【０００２】
ゴルフクラブのうち、グリーン上では一般的にパターが用いられており、カップまでの距離、グリーンの傾斜などを目で判断した上でゴルファーがスイングストロークを調整しながらカップを目標とする方向にボールを打つ。
【０００３】
図７に示す如く、パター７０は、ヘッド７０１の垂直な平坦面に形成されたフェース面７０２をボール８に対して直角となるようにスイングしてボール８を打たなければならないが、グリーン芝の状態や、パッティングの力、スイング方向、グリーンの傾斜などにより、ボール８の転がり方向と距離が大きく影響されるため、例えば図７のように、常に練習マット９を用いてボール８に対してパター７０のヘッド７０１のフェース面７０２が直角となるようにしてカップ９０に向かって打つ練習をしなければならない。
【０００４】
この際、カップ９０に向かうボール８の転がり方向を表示し、パッティング方向を確認できるようにしたものが多く提案されている（例えば、特許文献１、２）。
【０００５】
【特許文献１】台湾実用新案公告第４０１８２９号（ゴルフパターのパッティング方向の校正装置）
【特許文献２】台湾実用新案公告第Ｍ２６３９７４号（パッティング精確度調整用ゴルフクラブ）
【発明の開示】
【発明が解決しようとする課題】
【０００６】
上記従来技術によれば、パター７０のパッティング方向を確認できるようにし、カップインの成功率を高めようとするが、打球するときの力をうまく加減できず、ボール８がカップ９０に近付くことができなかったり、カップ９０を通り過ぎたりすることがあり、プレーヤーを悔しがらせる。
【０００７】
本発明は、以上のような従来の問題点に鑑み、パッティングした後のボール８の転がり距離を推定することができるゴルフパターを提供することを目的としている。
【課題を解決するための手段】
【０００８】
上記目的を達成するため、本発明は、本体の長手方向の一端にヘッドが一体に取り付けられ、プレーヤーがグリーンにボールをパッティングしてカップに入れるためのゴルフパターにおいて、本体に、表示手段と、表示手段に電気的に接続される制御手段とを設け、制御手段は、感知部と算出部とを有し、ヘッドの質量と、ボールの質量と、ボールの弾性率とを含む固有データを内蔵しており、感知部は、パッティングする前の素振り動作において、ボールの開始位置及びヘッドがボールの開始位置を通過したときのヘッドスピードを検出し、算出部には当該開始位置及びヘッドスピードを記録し、固有データに基づいてボールの転がり距離を算出し、表示手段に、転がり距離を表示させ、当該転がり距離とカップまでの距離との差を判断してパッティングを調整するようにすることを特徴とするゴルフパターを提供しようとする。
【０００９】
前記ゴルフパターでは、算出部にさらに、予めグリーン状態に対応付けられるグリーンスピードと該グリーンスピードに対応付けられた目盛りを示す対照表を内蔵し、さらに、対照表に対応づけられるスイッチ手段を、制御手段に電気的に接続するように本体に取り付け、パッティング時のグリーン状態に対応してスイッチ手段を切替え、算出部において、グリーン状態に対応付けられたグリーンスピードを考慮してボールの転がり距離を算出するように構成してもよい。
【００１０】
前記感知部としては、微小電気機械システム（ＭＥＭＳ）を用いることが好ましい。
【００１１】
前記ゴルフパターでは、感知部は、さらにボールの開始位置におけるグリーンの傾斜角度を感知し、算出部に、グリーンの傾斜角度を記録し、算出部において、グリーンの傾斜角度を考慮してボールの転がり距離を算出するように構成してもよい。
【００１２】
前記ゴルフパターでは、表示手段はさらに、グリーンスピードを調整可能な調整部を設け、算出部において、調整部により調整したグリーンスピードに応じたグリーンスピードを算出して記録するように構成してもよい。
【００１３】
前記ゴルフパターではさらに、スイッチ手段に電気的に接続されるように給電手段を設けるように構成してもよい。
【００１４】
前記ゴルフパターでは、給電手段は、日光の放射エネルギーを電力に変換するソーラーセルプレートであり、日光が当たるようにヘッドに設けられるように構成してもよい。
【００１５】
前記ゴルフパターでは、表示手段は、プレーヤーが目視可能にヘッドの上面に設けられ、スイッチ手段は、本体の長手方向の他端に取り付けられ、給電手段からの電力を開閉制御する電源スイッチ及びグリーンスピードを設定する切替えスイッチを設けることが好ましい。
【発明の効果】
【００１６】
本発明によれば、算出部は、ボールやパターに関する固有データを用い、記録したボールの開始位置及びヘッドスピードに基づいて、ボールの転がり距離をカップまでの予測距離として算出し、表示手段に、予測距離を表示させることにより、当該予測距離をカップまでの目視距離と比べて、その間の差によってパッティング力をうまく加減し、カップインの確率を高めることができる。
【発明を実施するための最良の形態】
【００１７】
本発明の実施の形態を図面に基づいて説明する。
【００１８】
本発明の実施の形態のゴルフパター１は、図１のようにパター本体であるシャフト１０の一端にヘッド２を、他端にグリップ３を取り付けており、ヘッド２は、地面に垂直な平坦面に形成されたフェース面２０を有する。プレーヤーはプレーや練習するとき、該フェース面２０がボール８に対して直角となるようにスイングしてボール８を打ってカップに入れるようにする。
【００１９】
ヘッド２は、シャフト１０の一端に一体に取り付けられ、図２に示すようにフェース面２０の背面から本体部２１が突出て形成され、本体部２１のフェース面２０寄りの端部にフェース面２０の幅方向に張り出て棒状のスイング部２２が設けられ、スイング部２２の前面は平坦のフェース面２０とされている。
【００２０】
ヘッド２の本体部２１に、図２に示すように、給電手段４と、表示手段５と、制御手段６とを組み込み、グリップ３に、図３に示すように、スイッチ手段７を組み込み、それらをシャフト１０内部を通してリード線（図示せず）により接続している。
【００２１】
給電手段４は、図１に示すように、ソーラーセルプレート４１が日光に当たるように本体部２１の上面に設けられ、日光の放射エネルギーを電気に変換してスイッチ手段７に電力を供給するように電気的に接続されている。
【００２２】
表示手段５は、スイッチ手段７に電気的に接続されており、プレーヤーが目視可能なようにヘッド２の上面に設けられ、例えばプッシュボタン式の調整部５１と、データを表示する表示部５２とが設けられている。
【００２３】
制御手段６は、表示手段５とスイッチ手段７に電気的に接続されるようにヘッド２に組み込まれている。この例においては、制御手段６は、図４に示すように、感知部６１及び算出部６２を備えるように構成される。算出部６２にはボール及びパターにかかるデータやグリーンスピード参照表などを予め記憶しており、感知部６１により感知されたボールの速度やグリーン芝の傾斜角度を記録し、ボールの転がり距離を算出し、表示手段５の表示部５２に表示する。感知部６１としては、例えば微小電気機械システム（ＭＥＭＳ）を用いて、位置や、角度、速度を検出するようにすることができる。この例では、算出部６２には、予めヘッドの質量や、ボールの質量、ボールの弾性率を含む固有データを内蔵している。
【００２４】
スイッチ手段７は、図２に示すように、給電手段４に電気的に接続されるようにシャフト１０の他端のグリップ３に取り付けられており、給電手段４からの電力を開閉制御する電源スイッチ７１と、対照表のグリーンスピードに対応づけられた目盛りに応じて所定のグリーンスピードを設定する切替えスイッチ７２とからなる。この例においては、切替えスイッチ７２がシャフト１０の頂端に取り付けられている。
【００２５】
ここで、グリーンスピードｖ（Green Speed；距離（ｍ）/時間（ｓ））は、グリーン芝の長さやグリーンの硬さなどの抵抗に依存し、パッティングに影響する因子である。ボール８がグリーン芝上を転がる転がり距離ｄはまた、グリーンスピードのほか、グリーンの傾斜、パッティングの強さ、風速などにも大きく依存する。そのために、的確なパッティングができるまでにはプレーの場数を踏む必要があった。
【００２６】
本発明にかかる対照表を以下のように説明する。練習プレーをする前に、まず、グリーンスピードを考慮してパッティングするようにする。例えば、練習グリーン上で平坦な場所を選び、所定のパッティングによって検出したスピードを参照グリーンスピード（以下、参照速度をいう）とする。この参照速度により、様々なグリーンにパッティングをして、それぞれ違うボール転がり距離ｄを測定する。ほぼ同一のパッティング力により異なるグリーンで転がるボールの参照加速度ａを次式で求め、制御手段６の算出部６２に記憶しておく。
【数１】
2009125523.tif 000003
【００２７】
具体的に、所定のパッティング力によって得られたボールの参照グリーンスピードを参照速度(v0)として、1.91［m/s］の値を測定し、この参照速度によりボール８が様々なグリーン上に止まる(ｖ=０)までそれぞれ1.24［ｍ］、1.55［ｍ］、１.86［ｍ］、2.17［ｍ］、2.48［ｍ］、2.79［ｍ］、3.10［ｍ］、3.41［ｍ］、3.72［ｍ］の転がり距離ｄを測定により得たとする。従って上式より参照加速度ａを例えば目盛りｎ（ｎ＝１〜９の整数）に対応付けて対照表に示す。この対照表を算出部６２に記憶しておく。
【表１】
2009125523.tif 000004
【００２８】
制御手段６に記憶された目盛りと参照加速度の対応関係を示す参照表に従い、スイッチ手段７の切替えスイッチ７２の操作により、所定の目盛りに対応付けられた所定の参照加速度を設定することができる。
【００２９】
本発明のパターにおいて、プレーの経験により、グリーン芝の状態を判断して、ｎ−１又はｎ＋１とｎとの間の参照加速度に設定しようとするとき、表示手段５の調整部５１を用いて表示部５２に示す転がり距離の変化をみながら算出部６２における目盛りに対応付けられた参照加速度を微調整することができる。
【００３０】
なお、この例において、対照表はプレーヤーのパッティング力により変わるものであるので、上記数値に限られないことはいうまでもない。
【００３１】
あるグリーンでパッティングしようとするとき、先に素振りをし、ボール８の転がり距離を算出することについて説明する。まず、図５において、制御手段６の感知部６１によりボール８の静止状態を検出し、ボール８の静止位置を開始点とする。パター１をテークバックし、表示部５２に表示したデータを０にリセットする。パター１を目標カップに向かって素振りをするとき、ヘッド２が開始点を通過したときのヘッドスピードを感知部６１により検出し、算出部６２に記録する。この例では、ヘッドスピードｖとしては、ほぼ１.0［m/s］とする。
【００３２】
この例においては、算出部６２に内蔵した固有データ、具体的にヘッドの質量Ｍ＝380［ｇ］、ボールの質量ｍ＝46［ｇ］、ボールの弾性率ｅ＝0.75とする。算出部６２において、ボールスピードｖBを、次式で計算して記録する。
【数２】
2009125523.tif 000005
【００３３】
ボールスピードｖBとしては、計算によりほぼ1.56［m/s］と得られる。
【００３４】
感知部６１によりボール８の静止状態を検出すると共に、グリーンの傾斜度θを検出して算出部６２に記録する。この例においては、グリーンの傾斜度θとしては、８°とする。
【００３５】
傾斜付きのグリーン芝での加速度asを下式により算出できる。
【数３】
2009125523.tif 000006
ただし、ｇは重力加速度9.8［m/s2］、Ｉは回転慣性モーメント、ボールの回転慣性モーメントＩ＝（２／５）ＭＲ2である。
従って、加速度as＝0.98［m/s2］と得られる。
【００３６】
プレーヤーは、このグリーンの状態を見て判断して、予め切替えスイッチ７２を例えば目盛り=２、即ちａ＝-1.18［m/s2］に設定する。このグリーンの状態即ちａ＝-1.18［m/s2］を補正値として以下の計算を行う。
【００３７】
例えば、ボールが、カップに至る下り斜面に存在する場合、加速度asが+0.98［m/s2］とすると、下りパッティングの加速度ad＝0.98+(-1.18)=-0.2［m/s2］となる。
また、ボールが、カップに至る上り斜面に存在する場合、加速度as＝−0.98［m/s2］とすると、上りパッティングの加速度au＝-0.98+(-1.18)=-2.16［m/s2］となる。
【００３８】
したがって、表示部５２には、それぞれの加速度に基づいて、
下りのボール転がり距離ｄd＝（02−1.562）/２（-0.2）＝6.08［ｍ］、
上りのボール転がり距離ｄu＝（02−1.562）/２（-2.16）＝0.56［ｍ］、
とが、場合ごとに表示される。
【００３９】
プレーヤーは、表示部５２に表示されたデータ（転がり距離）に基づいてボールからカップまでの目視距離を判断し、カップインまでの距離差を判定し、パッティング力を加減よく補正し、カップインの確率を高めることができる。
【００４０】
このように、本発明のパターによれば、パッティングを練習する意欲をそぐことなく、短時間でパッティングが上達することができる。
【産業上の利用可能性】
【００４１】
本発明のパターは、パッティング練習用のパターに有用である。
【図面の簡単な説明】
【００４２】
【図１】傾斜付きグリーンに立つ本発明にかかるゴルフパターを示す図である。
【図２】同ゴルフパターのヘッドを示す斜視図である。
【図３】同ゴルフパターのグリップを示す斜視図である。
【図４】同ゴルフパターの機能構成を示す図である。
【図５】同ゴルフパターの練習状況を概略示す図である。
【図６】同ゴルフパターの練習状況を概略示す図である。
【図７】従来のゴルフパターの練習状態を概略示す図である。
【符号の説明】
【００４３】
１  ゴルフパター
１０  シャフト
２  ヘッド
２０  フェース面
２１  本体部
２２  スイング部
３  グリップ
４  給電手段
４１  ソーラーセルプレート
５  表示手段
５１  調整部
５２  表示部
６  制御手段
６１  感知部
６２  算出部
７  スイッチ手段
７１  電源スイッチ
７２  切替えスイッチ
８  （ゴルフ）ボール
【図１】
2009125523.tif 000007
【図２】
2009125523.tif 000008
【図３】
2009125523.tif 000009
【図４】
2009125523.tif 000010
【図５】
2009125523.tif 000011
【図６】
2009125523.tif 000012
【図７】
2009125523.tif 000013